(57)【要約】【課題】利便性の低下を回避し、室内に利用者の閉じ込め防止とともに、製造及び設置費用を軽減する。【解決手段】室外側からの操作力で移動してデッドロッキングラッチボルト１０を移動させるラッチ下げレバー７５ａと、室内側からの操作力で移動してデッドロッキングラッチボルト１０を移動させ、ラッチ下げレバー７５ａとは連動しないラッチ下げレバー７５ｂと、操作力によりハブロッキング６０にラッチ下げレバー７５ａの移動を許容及び阻止させる機械的施解錠部３と、通電及び非通電により機械的施解錠部３と連動せずに、ハブロッキング６０にラッチ下げレバー７５ａの移動を許容及び阻止させる電気的施解錠部４と、通電及び非通電により機械的施解錠部３または電気的施解錠部４がハブロッキング６０によるラッチ下げレバー７５ａの移動の許容を不能及び可能とする施解錠部ロック機構５とを備える。【選択図】        図１
2010084337.tif 000002
【特許請求の範囲】
【請求項１】
開口部を有するとともに室内と室外との境界に設けられた出入口扉に設置され、利用者の操作に応じて、前記出入口扉を解錠不可能な状態である施錠状態、または前記出入口扉を解錠可能な状態である解錠可能状態とする錠前装置において、
前記開口部に挿入した状態で保持されることによって前記出入口扉を前記施錠状態にし、前記開口部に対して移動可能な状態にされることによって前記出入口扉を前記解錠可能状態にする施解錠部と、
前記室外側から、利用者により前記解錠可能状態の前記出入口扉を解錠するための第１操作力を受付け、受付けた前記第１操作力により移動して、前記第１操作力を前記施解錠部に伝達して前記施解錠部を移動させる第１開閉操作部と、
前記室内側から、利用者により前記施錠状態または前記解錠可能状態の前記出入口扉を解錠するための第２操作力を受付け、受付けた前記第２操作力により移動して、前記第２操作力を前記施解錠部に伝達して前記施解錠部を移動させ、前記第１開閉操作部とは連動しない第２開閉操作部と、
前記第１操作力による前記第１開閉操作部の移動を許容することで前記解錠可能状態にし、前記第１操作力による前記第１開閉操作部の移動を阻止することで前記施錠状態にする移動規制部材と、
前記施錠状態の前記出入口扉を前記解錠可能状態にするための第３操作力を利用者から受付け、受付けた前記第３操作力によって前記移動規制部材に前記第１開閉操作部の移動を許容させ、前記解錠可能状態の前記出入口扉を前記施錠状態にするための第４操作力を利用者から受付け、受付けた前記第４操作力によって前記移動規制部材に前記第１開閉操作部の移動を阻止させる機械的施解錠部と、
前記機械的施解錠部とは独立に作動し、通電によって前記移動規制部材に前記第１開閉操作部の移動を許容させ、非通電によって前記移動規制部材に前記第１開閉操作部の移動を阻止させる電気的施解錠部と、
通電によって、前記機械的施解錠部または前記電気的施解錠部が前記移動規制部材に前記第１開閉操作部の移動を許容させることを不能とし、非通電によって、機械的施解錠部または前記電気的施解錠部が前記移動規制部材に前記第１開閉操作部の移動を許容させることを可能とする施解錠部ロック機構と、
を備えることを特徴とする錠前装置。
【請求項２】
前記移動規制部材は、前記第１開閉操作部と離間することで、前記第１操作力による前記第１開閉操作部の移動を許容し、前記第１開閉操作部に当接することで、前記第１操作力による前記第１開閉操作部の移動を阻止し、
前記機械的施解錠部は、前記第３操作力を利用者から受付け、受付けた前記第３操作力によって前記移動規制部材を前記第１開閉操作部から離間させ、前記第４操作力を利用者から受付け、受付けた前記第４操作力によって前記移動規制部材を前記第１開閉操作部に当接させ、
前記電気的施解錠部は、通電によって、前記機械的施解錠部と連動せずに、前記移動規制部材を前記第１開閉操作部から離間させ、非通電によって、前記機械的施解錠部と連動せずに、前記移動規制部材を前記第１開閉操作部に当接させ、
前記施解錠部ロック機構は、通電によって、前記機械的施解錠部または前記電気的施解錠部が前記移動規制部材を前記第１開閉操作部から離間させることを不能とし、非通電によって、機械的施解錠部または前記電気的施解錠部が前記移動規制部材を前記第１開閉操作部から離間させることを可能とすることを特徴とする請求項１に記載の錠前装置。
【請求項３】
前記機械的施解錠部は、
前記第３操作力によって第１方向に回動し、前記第４操作力によって第２方向に回動する施解錠操作部と、
前記施解錠操作部の前記第１方向の回動によって押圧されることで第３方向へ移動して前記移動規制部材を押圧し、前記施解錠操作部の前記第２方向の回動によって押圧されることで前記第３方向と逆方向である第４方向へ移動して前記移動規制部材への押圧を解除し、前記電気的施解錠部への通電および非通電によって移動しない第１可動部材と、をさらに備え、
前記移動規制部材は、前記第１可動部材から押圧されることにより、第５方向に回動して前記第１開閉操作部と離間し、前記第１可動部材からの押圧が解除されることにより、第６方向に回動して前記第１開閉操作部と当接することを特徴とする請求項２に記載の錠前装置。
【請求項４】
前記電気的施解錠部は、
稼働可能な鉄心を有する第１ソレノイドと、
前記第１ソレノイドの前記鉄心に連結されており、前記第１ソレノイドへの通電に連動して第７方向に回動して前記移動規制部材を押圧し、前記第１ソレノイドへの非通電に連動して第８方向に回動して前記移動規制部材への押圧を解除し、前記施解錠操作部の回動には連動しない押圧部材と、をさらに備え、
前記移動規制部材は、前記押圧部材から押圧されることにより、前記第５方向に回動して前記第１開閉操作部と離間し、前記押圧部材からの押圧が解除されることにより、前記第６方向に回動して前記第１開閉操作部と当接することを特徴とする請求項３に記載の錠前装置。
【請求項５】
前記施解錠部ロック機構は、
稼動可能な鉄心を有する第２ソレノイドと、
前記第２ソレノイドの前記鉄心に連結されており、前記第２ソレノイドへの通電に連動して第９方向に移動することで前記移動規制部材の前記第５方向の回動を不能とし、前記第２ソレノイドへの非通電に連動して前記第９方向と逆方向の第１０方向に移動することで前記移動規制部材の前記第５方向の回動を可能とする第２可動部材と、をさらに備えることを特徴とする請求項４に記載の錠前装置。
【請求項６】
前記移動規制部材を、前記第６方向に付勢する弾性部材をさらに備え、
前記移動規制部材は、前記第１可動部材および前記押圧部材からの押圧が解除された場合、前記弾性部材からの付勢力によって前記第６方向に回動して前記第１開閉操作部と当接することを特徴とする請求項５に記載の錠前装置。
【請求項７】
前記出入口扉付近に設けられ、第１識別情報の入力を受付ける第１操作部と、
前記第１ソレノイドに対する通電を制御し、前記第１操作部によって受付けた前記第１識別情報が、予め定められた前記第１識別情報か否かを照合することにより認証を行い、前記認証が成功した場合、前記第１ソレノイドを通電する第１制御部と、
前記出入口扉付近に設けられ、第２識別情報の入力を受付ける第２操作部と、
前記第２ソレノイドに対する通電を制御し、前記第２操作部によって受付けた前記第２識別情報が、予め定められた前記第２識別情報か否かを照合することにより認証を行い、前記認証が成功した場合、前記第２ソレノイドへの通電または非通電を切り替える第２制御部と、をさらに備えたことを特徴とする請求項６に記載の錠前装置。
【請求項８】
前記錠前装置は、前記施解錠部ロック機構と前記出入口扉が設置された監視領域である前記室内における異常事態の発生の有無を監視する警備装置とが接続され、
前記出入口扉付近に設けられ、第１識別情報の入力を受付ける第１操作部と、
前記第１ソレノイドに対する通電を制御し、前記第１操作部によって受付けた前記第１識別情報が、予め定められた前記第１識別情報か否かを照合することにより認証を行い、前記認証が成功した場合、前記第１ソレノイドを通電する第１制御部と、
前記出入口扉付近に設けられ、前記警備装置によって前記監視領域の異常が検知された場合に異常検知情報を通報する警備状態、または前記警備装置によって前記監視領域の異常が検知された場合に前記異常検知情報を通報しない警備解除状態の設定を受付ける第２操作部と、
前記第２操作部により前記警備解除状態から前記警備状態の設定を受付けた場合、前記第２ソレノイドを通電し、前記第２操作部により前記警備状態から前記警備解除状態の設定を受付けた場合、前記第２ソレノイドを非通電にする第２制御部と、をさらに備えたことを特徴とする請求項６に記載の錠前装置。
【請求項９】
前記施解錠操作部は、前記第２操作部により前記警備状態の設定を受付け、前記第２制御部により前記第２ソレノイドが通電された後に、利用者により受付けた前記第４操作力によって前記第２方向に回動し、
前記第１可動部材は、前記第２操作部により前記警備状態の設定を受付け、前記第２制御部により前記第２ソレノイドが通電された後に、前記施解錠操作部の前記第２方向の回動によって押圧されることで、前記第４方向へ移動して前記移動規制部材への押圧を解除し、
前記移動規制部材は、前記第２操作部により前記警備状態の設定を受付け、前記第２制御部により前記第２ソレノイドが通電された後に、前記第１可動部材の前記第４方向の移動によって押圧を解除されることで、前記弾性部材からの付勢力によって前記第６方向に回動して前記第１開閉操作部と当接することを特徴とする請求項８に記載の錠前装置。
【請求項１０】
前記第２操作部は、種々の情報を表示する表示部をさらに備え、
前記第２制御部は、前記施解錠操作部が前記第１方向に回動した状態である場合、前記出入口扉が前記解錠可能状態である旨を前記表示部に表示することを特徴とする請求項９に記載の錠前装置。
【請求項１１】
前記第１操作部は、種々の情報を表示する表示部をさらに備え、
前記第１制御部は、前記施解錠操作部が前記第１方向に回動した状態である場合、前記出入口扉が前記解錠可能状態である旨を前記表示部に表示することを特徴とする請求項９に記載の錠前装置。
【請求項１２】
前記第１制御部に対して独立して電力供給が可能な外部給電部をさらに備え、
前記第１制御部は、前記第１操作部によって受付けた前記第１識別情報が、予め定められた前記第１識別情報か否かを照合することにより認証を行い、前記認証が成功した場合、前記外部給電部からの電力供給によって、前記第１ソレノイドを通電することを特徴とする請求項７〜１１のいずれか一つに記載の錠前装置。
【請求項１３】
前記施解錠部は、前記出入口扉を前記施錠状態、または前記出入口扉を前記解錠可能状態にするデッドロッキングラッチボルトを含むことを特徴とする請求項１〜１２のいずれか一つに記載の錠前装置。
【請求項１４】
前記施解錠操作部は、利用者により操作されたシリンダまたはサムターンに連動して回動し、前記第１可動部材を押圧するサムターンハブを含むことを特徴とする請求項２〜１３のいずれか一つに記載の錠前装置。
【請求項１５】
開口部を有するとともに室内と室外との境界に設けられた出入口扉に設置された錠前装置を、利用者の操作に応じて、前記出入口扉を解錠不可能な状態である施錠状態、または前記出入口扉を解錠可能な状態である解錠可能状態にする施解錠方法において、
前記室外側から、利用者により前記解錠可能状態の前記出入口扉を解錠するための第１操作力を受付け、受付けた前記第１操作力により第１開閉操作部を移動することで、前記第１操作力を、前記開口部に挿入した状態で保持されることによって前記出入口扉を前記施錠状態にし、前記開口部に対して移動可能な状態にされることによって前記出入口扉を前記解錠可能状態にする施解錠部に伝達して前記施解錠部を移動させる第１開閉操作工程と、
前記室内側から、利用者により前記施錠状態または前記解錠可能状態の前記出入口扉を解錠するための第２操作力を受付け、受付けた前記第２操作力により第２開閉操作部を移動することで、前記第２操作力を前記施解錠部に伝達して前記施解錠部を移動させ、前記第１開閉操作工程とは連動しない第２開閉操作工程と、
移動規制部材により、前記第１操作力による前記第１開閉操作部の移動を許容することで前記解錠可能状態にし、前記第１操作力による前記第１開閉操作部の移動を阻止することで前記施錠状態にする移動規制工程と、
機械的施解錠部により、前記施錠状態の前記出入口扉を前記解錠可能状態にするための第３操作力を利用者から受付け、受付けた前記第３操作力によって前記移動規制部材に前記第１開閉操作部の移動を許容させ、前記解錠可能状態の前記出入口扉を前記施錠状態にするための第４操作力を利用者から受付け、受付けた前記第４操作力によって前記移動規制部材に前記第１開閉操作部の移動を阻止させる機械的施解錠工程と、
電気的施解錠部により、前記機械的施解錠部とは独立に作動し、通電によって前記移動規制部材に前記第１開閉操作部の移動を許容させ、非通電によって前記移動規制部材に前記第１開閉操作部の移動を阻止させる電気的施解錠工程と、
施解錠部ロック機構により、通電によって、前記機械的施解錠部または前記電気的施解錠部が前記移動規制部材に前記第１開閉操作部の移動を許容させることを不能とし、非通電によって、機械的施解錠部または前記電気的施解錠部が前記移動規制部材に前記第１開閉操作部の移動を許容させることを可能とする施解錠部制御工程と、
を含むことを特徴とする施解錠方法。
【発明の詳細な説明】
【技術分野】
【０００１】
本発明は、出入口扉に設置され、当該出入口扉を施解錠する錠前装置および施解錠方法に関するものである。
【背景技術】
【０００２】
近年、不正な侵入を防止する目的で、一つの出入口扉に主錠と補助錠の二つの錠前を設置するいわゆるワンドアツーロックを実施して、防犯性の向上を図る試みがなされている。しかし、正規の利用者が入退館する際には、二つの錠前の施解錠が必要となるため、従来の一つの錠前を設置している場合と比べて、操作が煩雑となり利便性が低下する問題が生じる。
【０００３】
また、二つの錠前を設置することで、ピッキング、サムターン回し等の各種非破壊不正解錠手段における作業の手間・所要時間を２倍程度にすることで防犯性の向上が期待できるが、個々の錠前における不正解錠がそもそも短時間で可能となる場合、あるいは、人目に付かない場所で不正解錠に取り組む際の時間的猶予が存在する場合などにおいては、犯行が成し遂げられる懸念が残り、万全といえる状況ではない。加えて、利便性の低下を最小限に留める意味合いで、二つの錠前に対して同一のシリンダを設置することで、正規の利用者が単一の鍵による施解錠操作を可能にしている場合においては、不正解錠への耐性が低下して、単に危険性が増すことになっていた。
【０００４】
そこで、防犯性の向上を図るための別の方策として、錠前の施解錠部をロックする機構を別途設け、ロック機構の解除中のみ、金属鍵による解錠操作を有効とする複合錠前装置が開示されている（例えば、特許文献１参照）。
【０００５】
【特許文献１】特開平８−６０９１４号公報
【発明の開示】
【発明が解決しようとする課題】
【０００６】
しかしながら、上記特許文献１の技術では、照合手段を室外のみならず、室内にも用意する必要があるため、室内から室外へ出る場合にも二段階の煩雑な操作を強要されるとともに、機器の製造費用や設置費用が嵩むという問題があった。また万一、室内に人がいる状態において、停電等により照合手段が動作不能に陥った場合には、室内に残された者が施錠された出入口扉を開放することができず、室内に閉じ込められてしまうという問題もあった。
【０００７】
本発明は、上記に鑑みてなされたものであって、簡易な操作により室内側からは出入口扉を常時開放可能にすることで、正規の利用者に煩雑な操作を強要せず利便性の低下を回避し、室内に利用者が閉じ込められることを防止するとともに、製造および設置費用を軽減できる錠前装置および施解錠方法を提供することを目的とする。
【課題を解決するための手段】
【０００８】
上述した課題を解決し、目的を達成するために、本発明にかかる錠前装置は、開口部を有するとともに室内と室外との境界に設けられた出入口扉に設置され、利用者の操作に応じて、前記出入口扉を解錠不可能な状態である施錠状態、または前記出入口扉を解錠可能な状態である解錠可能状態とする錠前装置において、前記開口部に挿入した状態で保持されることによって前記出入口扉を前記施錠状態にし、前記開口部に対して移動可能な状態にされることによって前記出入口扉を前記解錠可能状態にする施解錠部と、前記室外側から、利用者により前記解錠可能状態の前記出入口扉を解錠するための第１操作力を受付け、受付けた前記第１操作力により移動して、前記第１操作力を前記施解錠部に伝達して前記施解錠部を移動させる第１開閉操作部と、前記室内側から、利用者により前記施錠状態または前記解錠可能状態の前記出入口扉を解錠するための第２操作力を受付け、受付けた前記第２操作力により移動して、前記第２操作力を前記施解錠部に伝達して前記施解錠部を移動させ、前記第１開閉操作部とは連動しない第２開閉操作部と、前記第１操作力による前記第１開閉操作部の移動を許容することで前記解錠可能状態にし、前記第１操作力による前記第１開閉操作部の移動を阻止することで前記施錠状態にする移動規制部材と、前記施錠状態の前記出入口扉を前記解錠可能状態にするための第３操作力を利用者から受付け、受付けた前記第３操作力によって前記移動規制部材に前記第１開閉操作部の移動を許容させ、前記解錠可能状態の前記出入口扉を前記施錠状態にするための第４操作力を利用者から受付け、受付けた前記第４操作力によって前記移動規制部材に前記第１開閉操作部の移動を阻止させる機械的施解錠部と、前記機械的施解錠部とは独立に作動し、通電によって前記移動規制部材に前記第１開閉操作部の移動を許容させ、非通電によって前記移動規制部材に前記第１開閉操作部の移動を阻止させる電気的施解錠部と、通電によって、前記機械的施解錠部または前記電気的施解錠部が前記移動規制部材に前記第１開閉操作部の移動を許容させることを不能とし、非通電によって、機械的施解錠部または前記電気的施解錠部が前記移動規制部材に前記第１開閉操作部の移動を許容させることを可能とする施解錠部ロック機構と、を備えることを特徴とする。
【０００９】
また、本発明にかかる施解錠方法は、開口部を有するとともに室内と室外との境界に設けられた出入口扉に設置された錠前装置を、利用者の操作に応じて、前記出入口扉を解錠不可能な状態である施錠状態、または前記出入口扉を解錠可能な状態である解錠可能状態にする施解錠方法において、前記室外側から、利用者により前記解錠可能状態の前記出入口扉を解錠するための第１操作力を受付け、受付けた前記第１操作力により第１開閉操作部を移動することで、前記第１操作力を、前記開口部に挿入した状態で保持されることによって前記出入口扉を前記施錠状態にし、前記開口部に対して移動可能な状態にされることによって前記出入口扉を前記解錠可能状態にする施解錠部に伝達して前記施解錠部を移動させる第１開閉操作工程と、前記室内側から、利用者により前記施錠状態または前記解錠可能状態の前記出入口扉を解錠するための第２操作力を受付け、受付けた前記第２操作力により第２開閉操作部を移動することで、前記第２操作力を前記施解錠部に伝達して前記施解錠部を移動させ、前記第１開閉操作工程とは連動しない第２開閉操作工程と、移動規制部材により、前記第１操作力による前記第１開閉操作部の移動を許容することで前記解錠可能状態にし、前記第１操作力による前記第１開閉操作部の移動を阻止することで前記施錠状態にする移動規制工程と、機械的施解錠部により、前記施錠状態の前記出入口扉を前記解錠可能状態にするための第３操作力を利用者から受付け、受付けた前記第３操作力によって前記移動規制部材に前記第１開閉操作部の移動を許容させ、前記解錠可能状態の前記出入口扉を前記施錠状態にするための第４操作力を利用者から受付け、受付けた前記第４操作力によって前記移動規制部材に前記第１開閉操作部の移動を阻止させる機械的施解錠工程と、電気的施解錠部により、前記機械的施解錠部とは独立に作動し、通電によって前記移動規制部材に前記第１開閉操作部の移動を許容させ、非通電によって前記移動規制部材に前記第１開閉操作部の移動を阻止させる電気的施解錠工程と、施解錠部ロック機構により、通電によって、前記機械的施解錠部または前記電気的施解錠部が前記移動規制部材に前記第１開閉操作部の移動を許容させることを不能とし、非通電によって、機械的施解錠部または前記電気的施解錠部が前記移動規制部材に前記第１開閉操作部の移動を許容させることを可能とする施解錠部制御工程と、を含むことを特徴とする。
【発明の効果】
【００１０】
本発明によれば、簡易な操作により室内側からは出入口扉を常時開放可能にすることで、正規の利用者に煩雑な操作を強要せず利便性の低下を回避し、室内に利用者が閉じ込められることを防止するとともに、製造および設置費用を軽減できるという効果を奏する。
【発明を実施するための最良の形態】
【００１１】
以下に添付図面を参照して、この発明にかかる錠前装置および施解錠方法の最良な実施形態を詳細に説明する。
【００１２】
本実施形態にかかる錠前装置は、警備装置が設置されている建造物等の監視領域の出入口扉に設けられ、鍵等を利用して施解錠を行う機械的施解錠部と、通電による施解錠を行う電気的施解錠部とを両方兼ね備え、さらに機械的施解錠部と電気的施解錠部の動作を制御する施解錠部ロック機構を備えたものである。そして、本実施形態の錠前装置は、監視領域内（室内）からは、利用者が常に出入口扉を解錠して扉を開放可能となっており、また、監視領域に異常が発生した場合に、駆けつけた警備員等がその監視領域に設置された出入口扉を解錠する鍵等を所持していなくても、出入口扉を解錠して扉を開放できるものである。
【００１３】
図１は、実施形態にかかる錠前装置１００の構成を示す説明図である。図１に示すように、本実施形態にかかる錠前装置１００は、監視領域内（室内）と監視領域外（室外）との境界に設けられた出入口扉に設置されたフロント１（図２参照）および錠前機構２と、警備装置５００と、警備モード操作部５１０と、操作部６００と、外部給電装置７００とから主に構成されている。また、錠前機構２は、機械的施解錠部３と、電気的施解錠部４と、施解錠部ロック機構５とから構成されている。
【００１４】
警備装置５００は、施解錠部ロック機構５、電気的施解錠部４、警備モード操作部５１０、および操作部６００に接続され、出入口扉が設置されている監視領域を監視（警備）するものである。すなわち、警備装置５００は、警備モードが警備状態に設定されている場合に監視領域において異常が発生した場合は、通報先である監視センタへ異常を検知した旨の異常検知情報を通報し、警備モードが警備解除状態に設定されている場合に監視領域において異常が発生した場合には、監視センタへの異常検知情報の通報は行わない。そして、監視センタは、監視領域の警備装置から異常検知情報の通報を受信すると、待機中の警備員に対して異常が検知された監視領域へ向かう旨の指示を出すとともに、必要に応じて警察や消防など関係機関への通報を行うことになる。また、警備装置５００は、施解錠部ロック機構５の動作を制御する制御部５０１を備えている。なお、本実施の形態では、錠前機構２は警備装置５００と有線で接続されているが、無線通信により接続された構成としてもよい。
【００１５】
ここで、警備モードとは、監視領域に設置されている各種センサにより窓や扉の開放あるいは人の存在等を検知した際の監視センタへの通報の要否、または、監視領域内への報知の要否など、各種センサの検知動作時の警備装置５００の動作を決定するモードである。警備モードには、通報の要否や通報先、監視領域内への報知の要否などによって複数のモードが存在する。代表的な警備モードとしては、各種センサが検知動作を行った場合、例えば、監視領域の異常を監視し、監視領域内への人の入室を検出した場合に、所定の通報先である監視センタに異常検知情報を通報する警備状態と、各種センサが検知動作を行った場合に、監視センタに異常検知情報を通報しない警備解除状態が存在し、警備装置５００は、後述する警備モード操作部５１０から受付けた入力操作に応じて警備モードが設定される。
【００１６】
警備モード操作部５１０は、警備装置５００に接続され、出入口扉付近の監視領域外に設置されており、警備員等の利用者に固有の利用者ＩＤの入力を受付けるものである。さらに、警備モード操作部５１０は、警備装置５００に設定される警備モードとして、警備状態または警備解除状態の設定を受付けるものである。
【００１７】
警備装置５００における制御部５０１は、警備ソレノイド１１０（後述）に対する通電を制御するものである。すなわち、制御部５０１は、警備モード操作部５１０によって受付けた利用者ＩＤが、記憶部（不図示）等に予め定められた利用者ＩＤか否かを照合することによって利用者認証を行い、その利用者認証が成功し、警備モード操作部５１０により警備解除状態から警備状態の設定を受付けた場合、警備ソレノイド１１０に電力供給を行って警備ソレノイド１１０を通電する。また、制御部５０１は、利用者認証が成功し、警備モード操作部５１０により警備状態から警備解除状態の設定を受付けた場合、警備ソレノイド１１０への電力供給を停止して警備ソレノイド１１０を非通電にする。また、制御部５０１は、汎用の電源と接続されており、通常時は、かかる汎用の電源から監視領域等に供給される電力等を、警備モード操作部５１０、操作部６００、施解錠部ロック機構５における警備ソレノイド１１０、電気的施解錠部４におけるソレノイド９０（後述）等に供給している。
【００１８】
操作部６００は、電気的施解錠部４、警備装置５００、および外部給電装置７００に接続されており、利用者に固有の利用者ＩＤの入力を受付けるものである。また、操作部６００は、電気的施解錠部４を制御する制御部６０１を備えている。
【００１９】
操作部６００の制御部６０１は、ソレノイド９０（後述）に対する通電を制御するものである。すなわち、制御部６０１は、操作部６００によって受付けた利用者ＩＤが、記憶部（不図示）等に予め定められた利用者ＩＤか否かを照合することによって利用者認証を行い、その利用者認証が成功した場合、ソレノイド９０に電力供給を行ってソレノイド９０を通電する。そして、ソレノイド９０を通電した後、予め定められた所定の時間が経過したらソレノイド９０への電力供給を停止してソレノイド９０を非通電にする。また、制御部６０１は、通常、警備装置５００からの供給された電力によりソレノイド９０を通電するが、例えば、停電時等により警備装置５００による電力が供給されない場合には、外部給電装置７００からの電力供給によって、ソレノイド９０を通電または非通電にする。
【００２０】
外部給電装置７００は、電気的施解錠部４および操作部６００における制御部６０１に対して独立して電力を供給できるものであり、例えば、電池等が該当する。停電時等により制御部６０１に警備装置５００からの電力供給が受けられない場合に、外部給電装置７００が電気的施解錠部４のソレノイド９０（後述）や制御部６０１に電力を供給することで、上述したように停電時にも制御部６０１によりソレノイド９０に対する通電および非通電の制御が可能となる。
【００２１】
錠前機構２における機械的施解錠部３は、電力供給を受けることなく、利用者が鍵やサムターンを利用して錠前機構２が設けられた出入口扉の施解錠を機械的に行う機械錠である。
【００２２】
錠前機構２における電気的施解錠部４は、警備装置５００と、操作部６００と、外部給電装置７００とに接続されており、制御部６０１により通電されたり、所定時間の経過後に非通電にされることで出入口扉の施解錠を行う電気錠である。また、電気的施解錠部４は、通常は警備装置５００から電力供給を受けることにより施解錠を行っているが、停電などにより警備装置５００から電力が供給されなくなった場合は、上述のように、外部給電装置７００から電力供給を受けることにより施解錠を行う仕組みとなっている。
【００２３】
錠前機構２における施解錠部ロック機構５は、警備装置５００と接続されており、監視領域に設定された機械的施解錠部３および電気的施解錠部４の動作を制御するものである。すなわち、施解錠部ロック機構５は、警備装置５００の警備モードが警備状態に設定された場合には、機械的施解錠部３および電気的施解錠部４により出入口扉を解錠可能な状態にする動作を不能にする制御を行う。また、施解錠部ロック機構５は、警備装置５００の警備モードが警備解除状態に設定された場合には、機械的施解錠部３および電気的施解錠部４により出入口扉を解錠可能な状態にする動作を可能にする制御を行う。
【００２４】
また、施解錠部ロック機構５は、警備装置５００の警備モードが警備状態に設定されている場合に、停電等により汎用の電源からの電力が供給されなくなると、機械的施解錠部３および電気的施解錠部４の動作の制御ができなくなり、機械的施解錠部３および電気的施解錠部４は、出入口扉を解錠可能な状態にできる。
【００２５】
次に、フロント１と錠前機構２の詳細について説明する。図２は、本実施の形態にかかる錠前機構２の詳細を示す説明図である。図２に示すように、本実施の形態にかかる錠前機構２には、側面にフロント１が設けられており、デッドロッキングラッチボルト１０と、ラッチホールド２０と、ラッチヘッド２５と、サムターンハブ３０と、スライダー４０と、ロッキング連結カム５０と、ハブロッキング６０と、ハンドル部７０と、ロッキングレバー８０と、ソレノイド９０と、警備ソレノイド１１０と、ソレノイドカム１２０と、ソレノイドスライダー１３０とを主に備えている。
【００２６】
本実施の形態にかかる錠前装置１００では、サムターンハブ３０およびスライダー４０により機械的に施解錠を行う機械錠を機械的施解錠部３（図１参照）とし、ソレノイド９０およびロッキングレバー８０により電気的に施解錠を行う電気錠を電気的施解錠部４（図１参照）とする。また、警備モードの設定に連動して警備ソレノイド１１０、ソレノイドカム１２０、およびソレノイドスライダー１３０により、機械的施解錠部３および電気的施解錠部４の動作を制御する機構を施解錠部ロック機構５とする。
【００２７】
フロント１は、デッドロッキングラッチボルト１０とラッチヘッド２５が出入する開口部（不図示）を有し、錠前機構２の側面を覆う板状の金属板である。また、フロント１の上部と下部には、錠前機構２を出入口扉に固定するためのねじ穴（不図示）が設けられている。錠前装置１００を出入口扉に設置した場合は、錠前機構２が出入口扉に埋め込まれ、フロント１が出入口扉の側面に見える状態となる。
【００２８】
デッドロッキングラッチボルト１０は、デッドボルトの機能とラッチボルトの機能を兼ね備えたボルトであり、軸部１１を主体として構成されストッパー１３、および突部１６等を備えた構成となっている。なお、軸部１１のフロント１側の端面には、ストッパー１３を介在させて先端部１２が接続された構造となっている。軸部１１は、金属性材料で形成され、内部が空洞となっている。また、この先端部１２は、施錠が行われるとフロント１の開口部（不図示）に挿入される部分で、先端が略三角柱形状の金属性材料で形成されている。また、軸部１１の他方の端面には、円柱形状の鉄心１４が軸部１１に対して移動可能に接続されている。
【００２９】
また、軸部１１の鉄心１４が接続されている側の端面の下部には、下方に向かって突部１６が形成されている。この突部１６は、ハンドル部７０が回動した場合に、ハンドル部７０のラッチ下げレバー７５ａ、７５ｂの上端部分の端部７２ａ、７２ｂ（後述）に当接して押圧される。この押圧力によりデッドロッキングラッチボルト１０は、Ｂ方向に移動することになる。
【００３０】
鉄心１４は、軸部１１と接続されている端面と反対側の端面が錠前機構２の枠部に固定されており、デッドロッキングラッチボルト１０がＢ方向に移動した場合、軸部１１の内部に挿入されるものである。また、鉄心１４の周囲にはバネ１５が設けられており、デッドロッキングラッチボルト１０は、バネ１５により通常Ｂ方向と逆方向に付勢されている。
【００３１】
また、軸部１１と先端部１２との間に介在するストッパー１３は、デッドロッキングラッチボルト１０がバネ１５により付勢されてＢ方向と逆方向に移動する場合に、ラッチホールド２０の係止部２３（後述）に当接することでデッドロッキングラッチボルト１０を係止してその移動を阻止するものである。これは、先端部１２の先端の略三角柱形状の部分のみフロント１から突出させた状態にすることで、出入口扉が開放された状態から閉鎖される際に、デッドロッキングラッチボルト１０の先端部１２が出入口の壁面に当接して受けた押圧力によって錠前機構２の内部に挿入されるようにするためである。
【００３２】
なお、上述したような、先端部１２の先端の略三角柱形状の部分のみフロント１から突出させた状態で、デッドロッキングラッチボルト１０はラッチボルトとして機能するものであり、この状態を空締まり状態という。また、出入口扉が閉鎖した場合に、空締まり状態になると、出入口扉が風圧等で開かないように仮締まりが行われることになる。一方、先端部１２の先端の略三角柱形状の部分および略四角柱部分をフロント１から突出させた状態（図２参照）で、デッドロッキングラッチボルト１０はデッドボルトとして機能するものであり、この状態を本締まり状態という。
【００３３】
ラッチホールド２０は、ラッチヘッド２５とともに、デッドロッキングラッチボルト１０のフロント１からの突出度合い（突出長さ）を調整することで、デッドロッキングラッチボルト１０の状態を、本締まり状態と空締まり状態とに切替えるものである。つまり、ラッチホールド２０は、出入口扉が開放された場合に空締まり状態とするために、Ｂ方向と逆方向に移動するデッドロッキングラッチボルト１０のストッパー１３を係止部２３に係止させることでその移動を止めるものであり、錠前機構２の枠部に固定された支点２１を軸にして回動可能となっている。
【００３４】
また、ラッチホールド２０は、支点２１の周囲に設けられたバネ（不図示）により付勢されることでＲ５方向と逆方向に回動しており、図２ではラッチヘッド２５に当接することでその回動が阻止されている。ラッチホールド２０は、後述するコ字状部材２６がＣ方向へ移動することでその端部２７に押圧され、バネによる付勢力に対抗してＲ５方向に回動する。ラッチホールド２０は、Ｒ５方向に回動した場合に係止部２３によりストッパー１３を係止することでデッドロッキングラッチボルト１０の移動を阻止する。なお、図２では、ラッチホールド２０がＲ５方向と逆方向に移動した状態である。
【００３５】
ラッチヘッド２５は、略三角柱形状の金属性材料で形成されており、ラッチヘッド２５のフロント１側と反対側の端部には、断面がコの字形状の金属性材料で形成されたコ字状部材２６が固定されている。ラッチヘッド２５は、コ字状部材２６側に設けられたバネ（不図示）により通常Ｃ方向に付勢されているが、出入口扉が閉鎖されている場合は、出入口の壁面により押圧されてＣ方向と逆方向に押圧されている。従って、ラッチヘッド２５は、出入口扉が開放されるとともに出入口の壁面からの押圧が解除されてＣ方向へ移動し、出入口扉が閉鎖されるとともに出入口の壁面に押圧されてＣ方向と逆方向に移動して、錠前機構２の内部に挿入される。コ字状部材２６は、ラッチヘッド２５のＣ方向の移動に連動してＣ方向に移動した場合、端部２７がラッチホールド２０の突起２２をＣ方向に押圧し、ラッチホールド２０をＲ５方向に回動させる。なお、図２では、ラッチヘッド２５がＣ方向と逆方向に移動した状態である。
【００３６】
サムターンハブ３０は、出入口扉を施錠状態から解錠可能状態、または解錠可能状態から施錠状態にするために、鍵を挿入して回動操作される監視領域の外部側（室外側）に設けられたシリンダ（不図示）や、つまみ部分を回動操作される監視領域の内部側（室内側）に設けられたサムターン（不図示）が設けられている。
【００３７】
ここで、施錠状態とは、デッドロッキングラッチボルト１０の先端がフロント１の開口部を通過して出入口の壁面に挿入され、かつ室外側から出入口扉に設けられたレバーハンドル等を操作してもデッドロッキングラッチボルト１０を移動することができず、出入口扉が解錠不可能な状態である。なお、図２の錠前機構２は、施錠状態となっている。
【００３８】
また、解錠可能状態とは、デッドロッキングラッチボルト１０の先端がフロント１の開口部を通過して出入口の壁面に挿入され、かつ室外側から出入口扉に設けられたレバーハンドル等を操作するとデッドロッキングラッチボルト１０を移動することができ、該移動によりデッドロッキングラッチボルト１０が出入口の壁面から抜き出され、出入口扉が解錠可能な状態である。なお、解錠可能状態から、室外側から出入口扉に設けられたレバーハンドル等を操作することでデッドロッキングラッチボルト１０が出入口の壁面から抜き出された状態を解錠状態という。
【００３９】
そして、利用者がサムターンハブ３０のシリンダまたはサムターンを回動操作すると、そのシリンダまたはサムターンの回動に連動して、サムターンハブ３０の内部に設けられた突起部３１が図２におけるＲ１方向（第１方向）またはＲ１方向と逆方向（第２方向）に回動する。
【００４０】
ここで、サムターンハブ３０からの操作力のうち、突起部３１をＲ１方向へ回動操作する操作力（第３操作力）は、出入口扉を施錠状態から解錠可能状態にするものであって、突起部３１をＲ１方向と逆方向へ回動操作する操作力（第４操作力）は、出入口扉を解錠可能状態から施錠状態にするものである。つまり、Ｒ１方向は、出入口扉を施錠状態から解錠可能状態にするサムターンハブ３０の回動方向となり、Ｒ１方向と逆方向は、出入口扉を解錠可能状態から施錠状態にするサムターンハブ３０の回動方向となる。
【００４１】
また、サムターンハブ３０は、監視領域の利用者が日常使用するものであって、外出する利用者は、監視領域の外側（室外側）のシリンダから錠前装置１００の施解錠を行い、帰宅した利用者は、監視領域の内側（室内側）のサムターンから錠前装置１００の施解錠を行うための操作に用いられる。
【００４２】
スライダー４０は、金属性材料で形成され、サムターンハブ３０の回動に連動して、図２における下方であるＡ方向（第３方向）、または図２における上方であるＡ方向と逆方向（第４方向）に移動するものである。図３−１は、スライダー４０の正面図である。図３−２は、図３−１におけるスライダー４０をＶ１側から見た側面図である。スライダー４０は、金属性材料で形成されており、図３−１、３−２に示すように２枚の板状の部材を略垂直に接合したような形状となっている。
【００４３】
また、スライダー４０は、図３−１における左上部側に切欠き部４２が設けられており、この切欠き部４２がサムターンハブ３０の突起部３１に当接することにより押圧力を受けてＡ方向、またはＡ方向と逆方向に移動する。具体的には、サムターンハブ３０のＲ１方向の回動に連動して突起部３１がＲ１方向に回動すると、突起部３１が切欠き部４２の傾斜部４２ａに当接して押圧し、スライダー４０は下方に向かって押圧されてＡ方向へ移動する。また、サムターンハブ３０のＲ１方向と逆方向の回動に連動して突起部３１がＲ１方向と逆方向に回動すると、突起部３１が切欠き部４２の傾斜部４２ｂに当接して押圧し、スライダー４０は上方に向かって押圧されてＡ方向と逆方向へ移動する。なお、図２では、スライダー４０がＡ方向と逆方向へ移動した状態である。
【００４４】
また、スライダー４０は、図３−２に示すように、下部に孔部４３が設けられ、この孔部４３には、ロッキング連結カム５０が回動した場合にその回動を阻止しないように、ロッキング連結カム５０の一部が挿入されることになる。また、スライダー４０は、下端に凹部４４が設けられ、Ａ方向に移動することによりこの凹部４４の部位４４ａによりロッキング連結カム５０の部位５２（図５−１参照）を押圧する。一方、スライダー４０は、Ａ方向と逆方向に移動することにより凹部４４の部位４４ａによるロッキング連結カム５０の部位５２への押圧を解除する。また、スライダー４０は、ソレノイド９０への通電および非通電によって移動することはない。
【００４５】
ソレノイド９０は、電磁石の一種で、電磁誘導の作用によって、電気的エネルギーを機械的エネルギーに変換するものである。ソレノイド９０は、ソレノイド本体９１と、鉄心９２と、バネ（不図示）とにより主に構成されている。そして、ソレノイド本体９１には、孔部が設けられており、その孔部に鉄心９２が稼動可能な状態で挿入されている。また、鉄心９２の上部は、ロッキングレバー８０の連結部８３（図４−１参照）と連結されている。
【００４６】
ソレノイド９０は、操作部６００によって受付けた利用者ＩＤの利用者認証が成功した場合に制御部６０１により通電され、鉄心９２が下方に向かうＤ方向に移動する。また、ソレノイド９０は、制御部６０１により通電された後、予め定められた所定の時間が経過した場合に非通電にされると、鉄心９２がバネ（不図示）の付勢力によりＤ方向と逆方向に移動する。なお、図２では、ソレノイド９０の鉄心９２がＤ方向と逆方向へ移動した状態である。
【００４７】
ロッキングレバー８０は、金属性材料で形成され、錠前機構２の枠部に固定された中央付近の支点８２を軸にしてソレノイド９０の鉄心９２の移動に連動してＲ３方向（第７方向）、またはＲ３方向と逆方向（第８方向）に回動するものである。図４−１は、ロッキングレバー８０の正面図である。図４−２は、図４−１におけるロッキングレバー８０をＶ２側から見た上面図である。図４−３は、図４−１におけるロッキングレバー８０をＶ３側から見た下面図である。図４−４は、図４−１におけるロッキングレバー８０をＶ４側から見た側面図である。図４−１、４−４に示すように、ロッキングレバー８０の左側は、上面および両側面に囲まれて下部が開放されたコの字状の内部に空間が形成されている。
【００４８】
ロッキングレバー８０は、図４−１における左側の連結部８３で、開放された空間内にあるソレノイド９０の鉄心９２と連結されている。ソレノイド９０が通電されて鉄心９２がＤ方向へ移動すると、ロッキングレバー８０は、鉄心９２に連動してＤ方向に引っ張られることでＲ３方向に回動し、右側の端部８４がロッキング連結カム５０の部位５３（図５−１参照）を押圧する。一方、ソレノイド９０が非通電にされて鉄心９２のＤ方向への吸引力が解除されることで、バネ（不図示）により鉄心９２がＤ方向と逆方向へ移動されると、ロッキングレバー８０は、鉄心９２に連動してＤ方向と逆方向に押し上げられることでＲ３方向と逆方向に回動し、端部８４のロッキング連結カム５０の部位５３への押圧を解除する。また、ロッキングレバー８０は、利用者による操作力を受けたサムターンハブ３０の回動には連動しない。なお、図２では、ロッキングレバー８０がＲ３方向と逆方向へ回動した状態である。
【００４９】
ロッキング連結カム５０は、スライダー４０の移動またはロッキングレバー８０の回動に連動して、錠前機構２の枠部に固定された支点５１を中心にＲ２方向（第５方向）、またはＲ２方向と逆方向（第６方向）に回動するものである。また、ロッキング連結カム５０は、その支点５１の軸の周囲に設けられたバネ（不図示）によって通常Ｒ２方向と逆方向に付勢されている。図５−１は、ロッキング連結カム５０の正面図である。図５−２は、図５−１におけるロッキング連結カム５０をＶ５側から見た側面図である。ロッキング連結カム５０は、金属性材料で形成されており、図５−１、５−２に示すように板状の部材で形成されている。なお、図２では、ロッキング連結カム５０がＲ２方向と逆方向へ回動した状態である。
【００５０】
ロッキング連結カム５０は、スライダー４０がＡ方向に移動することで、スライダー４０の凹部４４における部位４４ａ（図３−２参照）により部位５２が押圧されることで、バネによる付勢力に対抗してＲ２方向に回動する。一方、スライダー４０がＡ方向と逆方向に移動することで、スライダー４０の部位４４ａからの部位５２への押圧が解除されると、バネの付勢力によりＲ２方向と逆方向に回動する。
【００５１】
また、ロッキング連結カム５０は、ソレノイド９０が通電されロッキングレバー８０がＲ３方向に回動することで、ロッキングレバー８０の端部８４により部位５３が押圧されることで、バネによる付勢力に対抗してＲ２方向に回動する。一方、ソレノイド９０が非通電にされロッキングレバー８０がＲ３方向と逆方向に回動することで、ロッキングレバー８０の端部８４からの部位５３への押圧が解除されると、バネによる付勢力によりＲ２方向と逆方向に回動する。
【００５２】
ハブロッキング６０は、金属性材料で形成され、ロッキング連結カム５０に固定されているため、ロッキング連結カム５０の回動に連動して、ロッキング連結カム５０の支点５１と重なる位置の支点６１を中心にＲ２方向、またはＲ２方向と逆方向に回動するものである。図６−１は、ハブロッキング６０の正面図である。図６−２は、図６−１におけるハブロッキング６０をＶ６側から見た上面図である。図６−３は、図６−１におけるハブロッキング６０をＶ７側から見た側面図である。
【００５３】
ハブロッキング６０は、ロッキング連結カム５０がスライダー４０またはロッキングレバー８０により押圧されることでＲ２方向に回動した場合、その回動に連動してＲ２方向に回動することで、部位６２がハンドル部７０のラッチ下げレバー７５ａの部位７６ａ（後述）と離間する。これにより、ハンドル部７０のラッチ下げレバー７５ａがＲ４方向に回動することを許容し、解錠可能状態とする。
【００５４】
一方、ハブロッキング６０は、ロッキング連結カム５０がスライダー４０またはロッキングレバー８０による押圧が解除されることで、バネによる付勢力によりＲ２方向と逆方向に回動した場合、その回動に連動してＲ２方向と逆方向に回動することで、部位６２がハンドル部７０のラッチ下げレバー７５ａの部位７６ａ（後述）と当接する。これにより、ハンドル部７０のラッチ下げレバー７５ａがＲ４方向に回動することを阻止し、施錠状態とする。
【００５５】
なお、ハブロッキング６０の部位６２は、ラッチ下げレバー７５ａの部位７６ａと離間したり当接したりすることでラッチ下げレバー７５ａの回動を制約しているが、後述するラッチ下げレバー７５ｂとは常に当接しない位置にあるため、ラッチ下げレバー７５ｂの回動を制約することはない。また、図２では、ハブロッキング６０がＲ２方向と逆方向へ回動した状態である。
【００５６】
ハンドル部７０は、出入口扉を解錠する際に利用者からの操作力を受付けるものであり、同一形状の２枚のラッチ下げレバー７５ａ、７５ｂと、レバーハンドル（不図示）により構成されている。利用者が操作するレバーハンドル（不図示）は、ラッチ下げレバー７５ａ、７５ｂに形成されたレバーハンドル孔７１ａ、７１ｂにそれぞれ差し込まれて嵌合される。
【００５７】
図２のハンドル部７０では、手前側が室外（監視領域外）で、奥側が室内（監視領域内）となっており、手前側に設けられたラッチ下げレバー７５ａが図示されているが、ラッチ下げレバー７５ａの奥側にラッチ下げレバー７５ｂが位置している（図１２等参照）。そして、室外側のレバーハンドルを操作するとラッチ下げレバー７５ａが回動し、室内側のレバーハンドルを操作するとラッチ下げレバー７５ｂが回動する。つまり、ラッチ下げレバー７５ａとラッチ下げレバー７５ｂとは、独立しており、他方の回動によって連動することはない。
【００５８】
また、一端がフロント１に固定され、かつ他端が部材７８に接続されたバネ７９のＦ方向と逆方向の付勢力を受けた部材７８により、ラッチ下げレバー７５ａ、７５ｂの端部７３ａ、７３ｂが押圧されることで、ラッチ下げレバー７５ａ、７５ｂは、Ｒ４方向と逆方向に付勢されている。
【００５９】
図７−１は、室外側のラッチ下げレバー７５ａの正面図である。図７−２は、図７−１におけるラッチ下げレバー７５ａをＶ８側から見た側面図である。ラッチ下げレバー７５ａは、金属性材料で形成されており、図７−１、７−２に示すように略板状の部材で形成されている。また、ラッチ下げレバー７５ａには、レバーハンドルが嵌合するレバーハンドル孔７１ａが形成され、上部に突出した端部７２ａと、下部に突出した端部７３ａとが設けられており、端部７２ａの近傍に突起部７４ａが形成されている。
【００６０】
また、部位７６ａは、ハブロッキング６０がＲ２方向と逆方向に回動した場合に、ハブロッキング６０の部位６２が当接する位置である。この部位７６ａにハブロッキング６０の部位６２が当接すると、ラッチ下げレバー７５ａはＲ４方向に回動することを阻止されて、施錠状態となる。また、ラッチ下げレバー７５ａの部位７６ａからハブロッキング６０の部位６２が離間すると、ラッチ下げレバー７５ａはＲ４方向に回動することを許容されて、解錠可能状態となる。
【００６１】
なお、室内側のラッチ下げレバー７５ｂも、ラッチ下げレバー７５ａと同一形状をしているため、相当する位置にレバーハンドル孔７１ｂ、端部７２ｂ、端部７３ｂ、突起部７４ｂ、部位７６ｂ（いずれも不図示）が設けられているが、突起部７４ｂの突出方向がラッチ下げレバー７５ａと逆方向となっている。また、図２では、ラッチ下げレバー７５ａがＲ４方向と逆方向へ回動した状態である。
【００６２】
次に、室外側から出入口扉を解錠状態にする場合について説明する。室外側からの出入口扉を解錠状態にするには、出入口扉が解錠可能状態の場合にのみ可能となっている。従って、解錠可能状態の場合に、利用者から室外側のレバーハンドルをＲ４方向に回動する操作力（第１操作力）を受付けると、受付けた操作力によりハンドル部７０のラッチ下げレバー７５ａは、レバーハンドル孔７１ａを軸としてＲ４方向に回動する。該回動により、ラッチ下げレバー７５ａの端部７２ａは、デッドロッキングラッチボルト１０の突部１６をＢ方向に押圧し、端部７３ａは、部材７８をＦ方向に押圧する。つまり、受付けた操作力を端部７２ａからデッドロッキングラッチボルト１０の突部１６に伝達することで、デッドロッキングラッチボルト１０をＢ方向に移動させるとともに、受付けた操作力を端部７３ａから部材７８に伝達することで、部材７８をＦ方向に移動させる。これにより、出入口扉を解錠状態にする。また、出入口扉を開放した後、利用者がレバーハンドルから手を離すと、バネ７９の付勢力により端部７３ａがＦ方向と逆方向に押圧されることで、ハンドル部７０のラッチ下げレバー７５ａは、Ｒ４方向と逆方向に回動し、図２の位置まで戻ることになる。
【００６３】
ここで、機械的施解錠部３により解錠可能状態とした際、すなわちサムターンハブ３０が回動することでスライダー４０が移動することにより解錠可能状態とした際に、室外側から出入口扉を解錠状態にする場合、ロッキングレバー８０は、Ｒ３方向と逆方向に回動した状態となっている。従って、スライダー４０の移動によりラッチ下げレバー７５ａがＲ４方向に回動する際、ラッチ下げレバー７５ａの突起部７４ａは、ロッキングレバー８０の部位８５（図４−１参照）を押圧してロッキングレバー８０をＲ３方向に回動させ、湾曲部８６（図４−１参照）に沿って移動していく。
【００６４】
次に、室内側から出入口扉を解錠状態にする場合について説明する。室内側からの出入口扉を解錠状態にするには、出入口扉が解錠可能状態および施錠状態のいずれの場合でも可能となっている。これは、ハブロッキング６０がラッチ下げレバー７５ｂに当接することがないからである。従って、解錠可能状態および施錠状態のいずれかの場合に、利用者から室内側のレバーハンドルをＲ４方向に回動する操作力（第２操作力）を受付けると、受付けた操作力によりハンドル部７０のラッチ下げレバー７５ｂは、レバーハンドル孔７１ｂを軸としてＲ４方向に回動する。該回動により、ラッチ下げレバー７５ｂの端部７２ｂは、デッドロッキングラッチボルト１０の突部１６をＢ方向に押圧し、端部７３ｂは、部材７８をＦ方向に押圧する。つまり、受付けた操作力を端部７２ｂからデッドロッキングラッチボルト１０の突部１６に伝達することで、デッドロッキングラッチボルト１０をＢ方向に移動させるとともに、受付けた操作力を端部７３ｂから部材７８に伝達することで、部材７８をＦ方向に移動させる。これにより、出入口扉を解錠状態にする。また、ラッチ下げレバー７５ａと同様に、出入口扉を開放した後、利用者がレバーハンドルから手を離すと、バネ７９の不勢力により端部７３ｂがＦ方向と逆方向に押圧されることで、ハンドル部７０のラッチ下げレバー７５ｂは、Ｒ４方向と逆方向に回動し、図２の位置まで戻ることになる。
【００６５】
ここで、機械的施解錠部３により解錠可能状態とした際、または施錠状態の際に、室内側から出入口扉を解錠する場合、ロッキングレバー８０は、Ｒ３方向と逆方向に回動した状態となっている。従って、奥側のラッチ下げレバー７５ｂがＲ４方向に回動する際、ラッチ下げレバー７５ｂの突起部７４ｂは、ロッキングレバー８０の部位８５（図４−１参照）を押圧してロッキングレバー８０をＲ３方向に回動させ、湾曲部８６（図４−１参照）に沿って移動していく。
【００６６】
警備ソレノイド１１０は、ソレノイド９０と同様に、電磁石の一種で、電磁誘導の作用によって、電気的エネルギーを機械的エネルギーに変換するものである。警備ソレノイド１１０は、ソレノイド本体１１１と、鉄心１１２と、バネ（不図示）とにより主に構成されている。そして、ソレノイド本体１１１には、孔部が設けられており、その孔部に鉄心１１２が稼動可能な状態で挿入されている。また、鉄心１１２の上部は、ソレノイドカム１２０の連結部１２３（図８−１参照）と連結されている。
【００６７】
警備ソレノイド１１０は、警備モード操作部５１０によって警備状態の設定を受付けた場合に通電され、鉄心１１２が左方に向かうＥ方向に移動する。また、警備ソレノイド１１０は、警備モード操作部５１０によって警備解除状態の設定を受付けた場合に非通電にされ、鉄心１１２がバネ（不図示）の付勢力によりＥ方向と逆方向に移動する。また、警備ソレノイド１１０は、警備モードが警備状態に設定されている場合において、停電等により警備装置５００からの電力が供給されなくなると、非通電にされた場合と同様に、鉄心１１２がバネの付勢力によりＥ方向と逆方向に移動する。なお、図２では、警備ソレノイド１１０の鉄心１１２がＥ方向と逆方向へ移動した状態である。
【００６８】
ソレノイドカム１２０は、金属性材料で形成され、錠前機構２の枠部に固定された中央付近の支点１２１を軸にして警備ソレノイド１１０の鉄心１１２の移動に連動してＲ６方向、またはＲ６方向と逆方向に回動するものである。図８−１は、ソレノイドカム１２０の正面図である。図８−２は、図８−１におけるソレノイドカム１２０をＶ９側から見た側面図である。ソレノイドカム１２０は、図８−１、８−２に示すように板状の部材で形成され、上部に突出した端部１２２と、下部に警備ソレノイド１１０の鉄心１１２と連結する連結部１２３が設けられている。
【００６９】
警備ソレノイド１１０が通電されて鉄心１１２がＥ方向へ移動すると、ソレノイドカム１２０は、鉄心１１２に連動して連結部１２３がＥ方向に引っ張られることでＲ６方向に回動し、端部１２２がソレノイドスライダー１３０の部位１３１ｂ（図９−２参照）をＥ方向と逆方向に押圧する。一方、警備ソレノイド１１０が非通電にされて鉄心１１２のＥ方向への吸引力が解除されることで鉄心１１２がＥ方向と逆方向へ移動すると、ソレノイドスライダー１３０は、鉄心１１２に連動して連結部１２３がＥ方向と逆方向に押圧されることでＲ６方向と逆方向に回動し、端部１２２がソレノイドスライダー１３０の部位１３１ａ（図９−２参照）をＥ方向に押圧する。なお、図２では、ソレノイドカム１２０がＲ６方向と逆方向へ回動した状態である。
【００７０】
ソレノイドスライダー１３０は、金属性材料で形成され、警備ソレノイド１１０の鉄心１１２にソレノイドカム１２０を介して連結されており、警備ソレノイド１１０への通電に連動して右方であるＧ方向（第９方向）に移動することでロッキング連結カム５０のＲ２方向の回動を不能とし、警備ソレノイド１１０への非通電に連動してＧ方向と逆方向（第１０方向）に移動することでロッキング連結カム５０のＲ２方向の回動を可能とするものである。図９−１は、ソレノイドスライダー１３０の正面図である。図９−２は、図９−１におけるソレノイドスライダー１３０をＶ１０側から見た下面図である。ソレノイドスライダー１３０は、図９−１に示すように板状の部材で形成され、左手前側に凹部１３１が形成され、右側面側に凹部１３２が形成されている。また、凹部１３１にはソレノイドカム１２０の端部１２２（図８−１参照）が嵌まり込み、凹部１３２にはロッキング連結カム５０の部位５４（図５−１参照）が嵌まり込む（図２参照）。
【００７１】
ソレノイドスライダー１３０は、警備ソレノイド１１０が通電されてソレノイドカム１２０がＲ６方向に回動することで、端部１２２により凹部１３１の部位１３１ｂが押圧されることで、Ｇ方向に移動する。そうすると、ソレノイドスライダー１３０の凹部１３２の部位１３２ａとロッキング連結カム５０の部位５４との隙間が狭くなって、ロッキング連結カム５０がＲ２方向に回動する余裕がなくなり、ロッキング連結カム５０のＲ２方向の回動を不能とする。これにより、機械錠のスライダー４０または電気錠のロッキングレバー８０によってロッキング連結カム５０を回動させることができなくなるため、ハブロッキング６０の部位６２をラッチ下げレバー７５ａから離間させることを不能とすることになる。つまり、機械的施解錠部３または電気的施解錠部４によって、出入口扉を施錠状態から解錠可能状態にする動作を無効にする状態（動作無効状態）となる。
【００７２】
また、ソレノイドスライダー１３０は、Ｇ方向に移動することで、スライダー４０がＡ方向に移動しようとした場合に、ソレノイドスライダー１３０の端部１３３がスライダー４０の下端部４５（図３−２参照）に当接して、その移動を阻止することができる。従って、警備モードが警備状態に設定されている際には、物理的にスライダー４０がＡ方向に移動できなくなるため、サムターンハブ３０を操作している利用者に監視領域が警備状態に設定されていることを認識させることができる。そのため、警備状態に設定された監視領域に利用者が入ることによる誤報を防止することができる。また、物理的にスライダー４０の移動を阻止しているため、ピッキング防止としても有効である。
【００７３】
一方、ソレノイドスライダー１３０は、警備ソレノイド１１０が非通電されてソレノイドカム１２０がＲ６方向と逆方向に回動することで、端部１２２により凹部１３１の部位１３１ａが押圧されることで、Ｇ方向と逆方向に移動する。そうすると、ソレノイドスライダー１３０の凹部１３２の部位１３２ａとロッキング連結カム５０の部位５４との隙間が広くなって、ロッキング連結カム５０がＲ２方向に回動する余裕ができ、ロッキング連結カム５０のＲ２方向の回動を可能とする。これにより、機械錠のスライダー４０または電気錠のロッキングレバー８０によってロッキング連結カム５０を回動させることが可能となるため、ハブロッキング６０の部位６２をラッチ下げレバー７５ａから離間させることを可能とすることになる。つまり、機械的施解錠部３または電気的施解錠部４によって、出入口扉を施錠状態から解錠可能状態にする動作が可能な状態（動作可能状態）となる。
【００７４】
本実施形態の錠前装置１００は、上述のように、機械的施解錠部３、電気的施解錠部４、および施解錠部ロック機構５から構成されており、機械的施解錠部３の動作のみ、もしくは電気的施解錠部４の動作のみで施解錠を行うことができる構成となっている。すなわち、本実施の形態の錠前装置１００は、デッドロッキングラッチボルト１０の移動と、機械的施解錠部３と、電気的施解錠部４とが全て連動する構成を取っておらず、機械的施解錠部３と電気的施解錠部４とを連結する連結部材が不要となっているため、簡易な構成となっている。そして、機械的施解錠部３および電気的施解錠部４による操作を、警備モードと連動させて施解錠部ロック機構５により制御しているため、警備状態に設定された監視領域に利用者が入ることによる誤報を防止することができる。
【００７５】
次に、錠前装置１００の動作について説明する。なお、サムターンハブ３０からの操作により、出入口扉を施錠状態または解錠可能状態にする場合を機械的施解錠とし、ソレノイド９０の通電・非通電により出入口扉を施錠状態または解錠可能状態にする場合を電気的施解錠とする。
【００７６】
図２に示す錠前装置１００は、施錠状態で、かつ警備モードが警備解除状態に設定されており、機械的施解錠部３または電気的施解錠部４により出入口扉を施錠状態から解錠可能状態にする動作が可能な状態（動作可能状態）となっている。そして、まず、図２に示す施錠状態の錠前装置１００において、警備モードが警備解除状態から警備状態に設定されることで、機械的施解錠部３または電気的施解錠部４により出入口扉を施錠状態から解錠可能状態にする動作を無効にする状態（動作無効状態）にする場合について、図２および図１０を参照して説明する。図１０は、本実施形態にかかる施錠状態の錠前装置１００において警備モードが警備状態に設定された場合を示す図である。
【００７７】
図２に示す錠前装置１００は、施錠状態であるとともに、警備モードが警備解除状態に設定されている。すなわち、施錠状態の錠前装置１００は、ロッキング連結カム５０がＲ２方向と逆方向に回動していることで、ハブロッキング６０がラッチ下げレバー７５ａに当接し、ラッチ下げレバー７５ａがＲ４方向に回動することができないため、利用者が室外側からレバーハンドルを操作してもラッチ下げレバー７５ａがデッドロッキングラッチボルト１０をＢ方向に移動させることができない。そして、警備モードが警備解除状態に設定された錠前装置１００は、警備ソレノイド１１０が非通電となっていることで、ソレノイドスライダー１３０がＧ方向と逆方向に移動しているため、スライダー４０またはロッキングレバー８０に押圧されることによって、ロッキング連結カム５０がＲ２方向に回動可能となっている。
【００７８】
この状態において、警備モード操作部５１０から利用者により警備状態の設定を受付けると、警備装置５００の制御部５０１が警備ソレノイド１１０を通電する。警備ソレノイド１１０が通電され、鉄心１１２がＥ方向に移動すると、鉄心１１２に連結されているソレノイドカム１２０がＲ６方向に回動し、ソレノイドカム１２０が嵌め込まれているソレノイドスライダー１３０は、Ｇ方向に移動する。そして、ソレノイドスライダー１３０がＧ方向に移動すると、ソレノイドスライダー１３０とロッキング連結カム５０との隙間が狭くなって、ロッキング連結カム５０がＲ２方向に回動する余裕がなくなり、ロッキング連結カム５０のＲ２方向の回動が不能となる。これにより、スライダー４０の移動またはロッキングレバー８０の回動によって、ロッキング連結カム５０を回動させることができなくなるため、ロッキング連結カム５０に固定されたハブロッキング６０の部位６２をラッチ下げレバー７５ａから離間させることができなくなり、動作無効状態となる。
【００７９】
次に、図１０に示す施錠状態の錠前装置１００において、警備モードが警備状態から警備解除状態に設定されることで、動作可能状態にする場合について、図２および図１０を参照して説明する。
【００８０】
図１０に示す錠前装置１００は、施錠状態であるとともに、警備モードが警備状態に設定されている。この状態において、警備モード操作部５１０から利用者により警備解除状態の設定を受付けると、警備装置５００の制御部５０１が警備ソレノイド１１０を非通電にする。警備ソレノイド１１０が非通電にされ、鉄心１１２がＥ方向と逆方向に移動すると、鉄心１１２に連結されているソレノイドカム１２０がＲ６方向と逆方向に回動し、ソレノイドカム１２０が嵌め込まれているソレノイドスライダー１３０は、Ｇ方向と逆方向に移動する。そして、ソレノイドスライダー１３０がＧ方向と逆方向に移動すると、ソレノイドスライダー１３０とロッキング連結カム５０との隙間が広くなって、ロッキング連結カム５０がＲ２方向に回動する余裕ができ、ロッキング連結カム５０のＲ２方向の回動が可能となる。これにより、スライダー４０の移動またはロッキングレバー８０の回動によって、ロッキング連結カム５０を回動させることができるため、ロッキング連結カム５０に固定されたハブロッキング６０の部位６２をラッチ下げレバー７５ａから離間させることができ、動作可能状態となる。
【００８１】
次に、図２に示す施錠状態の錠前装置１００から、サムターンハブ３０を操作することにより解錠可能状態にされた場合の動作（機械的解錠）について、図２および図１１を参照して説明する。なお、警備モードは警備解除状態の設定のままである。図１１は、本実施形態にかかる解錠可能状態の錠前装置１００を示す図である。
【００８２】
図２に示す施錠状態の錠前装置１００において、利用者からサムターンハブ３０をＲ１方向へ回動する操作力を受付けると、サムターンハブ３０に連動して突起部３１がＲ１方向へ回動する。そして、突起部３１が回動することで突起部３１がスライダー４０の傾斜部４２ａを下方に向かって押圧し、スライダー４０がＡ方向へ移動する。そして、スライダー４０は、Ａ方向に移動することで凹部４４の部位４４ａ（図３−２参照）によりロッキング連結カム５０の部位５２を押圧し、ロッキング連結カム５０がバネの付勢力に対抗してＲ２方向に回動する。さらに、ロッキング連結カム５０の回動に連動してハブロッキング６０がＲ２方向に回動することで、ハブロッキング６０の部位６２がハンドル部７０のラッチ下げレバー７５ａの部位７６ａから離間する。これにより、レバーハンドルから利用者による操作力を受け付けた場合、ハンドル部７０のラッチ下げレバー７５ａがＲ４方向に回動することができるため、図１１に示すように、錠前装置１００が解錠可能状態となる。
【００８３】
次に、図１１に示す解錠可能状態の錠前装置１００において、室外側からハンドル部７０を操作することにより出入口扉が開放状態にされる場合の動作について、図１１、図１２、および図１３を参照して説明する。図１２は、本実施形態にかかる解錠可能状態の錠前装置１００において室外側からハンドル部７０が操作された解錠状態を示す図である。図１３は、本実施形態にかかる出入口扉が開放されて空締まり状態の錠前装置１００を示す図である。
【００８４】
図１１に示す錠前装置１００は、ハブロッキング６０がラッチ下げレバー７５ａから離間しているため、ラッチ下げレバー７５ａがＲ４方向に回動することができる状態である。この状態で、室外側から利用者によりレバーハンドルをＲ４方向に回動する操作力を受付けると、受付けた操作力によりラッチ下げレバー７５ａがＲ４方向に回動する。このとき、ラッチ下げレバー７５ａの端部７２ａは、デッドロッキングラッチボルト１０の突部１６をＢ方向に押圧し、端部７３ａは、部材７８をＦ方向に押圧する。つまり、受付けた操作力を端部７２ａからデッドロッキングラッチボルト１０の突部１６に伝達することで、デッドロッキングラッチボルト１０をＢ方向に移動させるとともに、受付けた操作力を端部７３ａから部材７８に伝達することで、部材７８をバネ７９の付勢力に対向してＦ方向に移動させ、図１２に示すように、錠前装置１００が解錠状態となる。
【００８５】
図１２に示す錠前装置１００において、出入口扉が開放される際、出入口の壁面からの押圧が解除されたラッチヘッド２５がバネの付勢力によりＣ方向へ移動するとともに、ラッチヘッド２５に固定されているコ字状部材２６もＣ方向へ移動する。コ字状部材２６がＣ方向へ移動すると、端部２７がラッチホールド２０の突起２２をＣ方向に押圧して、ラッチホールド２０はＲ５方向に回動する。
【００８６】
そして、出入口扉が開放された後に利用者がレバーハンドルから手を離すと、バネ７９の付勢力により部材７８を介して端部７３ａがＦ方向と逆方向に押圧されることで、ハンドル部７０のラッチ下げレバー７５ａはＲ４方向と逆方向に回動し、図１１の位置まで戻ることになる。このとき、デッドロッキングラッチボルト１０は、図１１に示す施錠状態まで戻らない。
【００８７】
これは、デッドロッキングラッチボルト１０がバネ１５により付勢されてＢ方向と逆方向に移動している途中で、ストッパー１３がＲ５方向に回動したラッチホールド２０の係止部２３に当接することで係止されるため、図１１におけるデッドロッキングラッチボルト１０の位置までは戻らない。従って、図１３に示すように、デッドロッキングラッチボルト１０の先端部１２の先端の略三角柱形状の部分のみフロント１から突出させた状態となる。これにより、レバーハンドルからの操作力を受付けなくとも、出入口扉が閉鎖される場合の出入口の壁面から先端部１２の略三角柱形状の部分への押圧力により、デッドロッキングラッチボルト１０が一旦錠前機構２に挿入されて出入口扉が閉鎖されることになる。
【００８８】
また、出入口扉が閉鎖される際、出入口の壁面から押圧されてラッチヘッド２５がバネの付勢力に対抗してＣ方向と逆方向へ移動するとともに、ラッチヘッド２５に固定されているコ字状部材２６もＣ方向と逆方向へ移動する。コ字状部材２６がＣ方向と逆方向へ移動すると、端部２７によるラッチホールド２０の突起２２へのＣ方向の押圧が解除されて、ラッチホールド２０はバネの付勢力によりＲ５方向と逆方向に回動する。そして、出入口の壁面からの押圧力により一旦錠前機構２に挿入されたデッドロッキングラッチボルト１０は、バネ１５の付勢力によりＢ方向と逆方向に移動して、ラッチホールド２０がＲ５方向と逆方向へ回動したためにストッパー１３が係止部２３に係止されることなく、出入口の壁面に先端部１２が挿入されて解錠可能状態となる（図１１参照）。
【００８９】
次に、図１１に示す解錠可能状態の錠前装置１００から、サムターンハブ３０を操作することにより施錠状態にされた場合の動作（機械的施錠）について、図１１および図２を参照して説明する。
【００９０】
図１１に示す解錠可能状態の錠前装置１００において、利用者からサムターンハブ３０をＲ１方向と逆方向へ回動する操作力を受付けると、サムターンハブ３０に連動して突起部３１がＲ１方向と逆方向へ回動する。そして、突起部３１が回動することで突起部３１がスライダー４０の傾斜部４２ｂを上方に向かって押圧し、スライダー４０がＡ方向と逆方向へ移動する。そして、スライダー４０は、Ａ方向と逆方向に移動することで凹部４４の部位４４ａ（図３−２参照）によるロッキング連結カム５０の部位５２への押圧を解除し、ロッキング連結カム５０がバネの付勢力によりＲ２方向と逆方向に回動する。さらに、ロッキング連結カム５０の回動に連動して、ハブロッキング６０がＲ２方向と逆方向に回動することで、ハブロッキング６０の部位６２がハンドル部７０のラッチ下げレバー７５ａの部位７６ａに当接する。これにより、レバーハンドルから利用者による操作力を受け付けた場合、ハンドル部７０のラッチ下げレバー７５ａがＲ４方向に回動することができないため、図２に示すように、錠前装置１００が施錠状態となる。
【００９１】
このように、サムターンハブ３０からの操作による機械的施解錠においては、錠前装置１００により出入口扉を施錠状態から解錠可能状態にして、出入口扉を一旦開放した後、閉鎖した場合でも解錠可能状態には戻るが施錠状態には戻らない。すなわち、解錠可能状態から施錠状態にする場合は、サムターンハブ３０からの操作を行うことで施錠状態にしなければならない。
【００９２】
次に、図２に示す施錠状態の錠前装置１００から、ソレノイド９０を通電することにより解錠可能状態にされた場合の動作（電気的解錠）について、図２および図１４を参照して説明する。図１４は、本実施形態にかかる解錠可能状態の錠前装置１００を示す図である。
【００９３】
図２に示す施錠状態の錠前装置１００において、ソレノイド９０が通電されると、鉄心９２がＤ方向へ移動する。鉄心９２がＤ方向へ移動すると、鉄心９２に連結されている連結部８３がＤ方向に引っ張られてロッキングレバー８０がＲ３方向に回動し、ロッキングレバー８０の端部８４がロッキング連結カム５０の部位５３を押圧する。そして、ロッキング連結カム５０は、部位５３が押圧されることで、バネによる付勢力に対抗してＲ２方向に回動する。さらに、ロッキング連結カム５０の回動に連動して、ハブロッキング６０がＲ２方向に回動することで、ハブロッキング６０の部位６２がハンドル部７０のラッチ下げレバー７５ａの部位７６ａから離間する。これにより、レバーハンドルから利用者による操作力を受け付けた場合、ハンドル部７０のラッチ下げレバー７５ａがＲ４方向に回動することができるため、図１４に示すように、錠前装置１００が解錠可能状態となる。
【００９４】
次に、図１４に示す解錠可能状態の錠前装置１００において、室外側からハンドル部７０を操作することにより出入口扉が開放状態にされる場合の動作について、図１４および図１５を参照して説明する。図１５は、本実施形態にかかる解錠可能状態の錠前装置１００において室外側からハンドル部７０が操作された解錠状態を示す図である。
【００９５】
図１４に示す錠前装置１００は、ハブロッキング６０がラッチ下げレバー７５ａから離間しているため、ラッチ下げレバー７５ａがＲ４方向に回動することができる状態である。この状態で、室外側から利用者によりレバーハンドルをＲ４方向に回動する操作力を受付けると、受付けた操作力によりラッチ下げレバー７５ａがＲ４方向に回動する。このとき、ラッチ下げレバー７５ａの端部７２ａは、デッドロッキングラッチボルト１０の突部１６をＢ方向に押圧し、端部７３ａは、部材７８をＦ方向に押圧する。つまり、受付けた操作力を端部７２ａからデッドロッキングラッチボルト１０の突部１６に伝達することで、デッドロッキングラッチボルト１０をＢ方向に移動させるとともに、受付けた操作力を端部７３ａから部材７８に伝達することで、部材７８をＦ方向に移動させ、図１５に示すように、錠前装置１００が解錠状態となる。
【００９６】
図１５に示す錠前装置１００において、出入口扉が開放され、その後出入口扉が閉鎖される場合については、機械的施解錠と同様であるため、説明を省略する（図１３等参照）。
【００９７】
次に、図１４に示す解錠可能状態の錠前装置１００から、ソレノイド９０を非通電にすることにより施錠状態にされた場合の動作（電気的施錠）について、図１４および図２を参照して説明する。
【００９８】
図１４に示す解錠可能状態の錠前装置１００において、ソレノイド９０は、通電された後に予め定められた所定の時間が経過すると、ソレノイド９０が非通電にされ、ソレノイド９０による鉄心９２のＤ方向への吸引力が解除されることで鉄心９２がＤ方向と逆方向へ移動する。そして、ロッキングレバー８０は、鉄心９２に連動してＤ方向と逆方向に押し上げられることでＲ３方向と逆方向に回動し、端部８４のロッキング連結カム５０の部位５３への押圧を解除し、ロッキング連結カム５０がバネの付勢力によりＲ２方向と逆方向に回動する。さらに、ロッキング連結カム５０の回動に連動して、ハブロッキング６０がＲ２方向と逆方向に回動することで、ハブロッキング６０の部位６２がハンドル部７０のラッチ下げレバー７５ａの部位７６ａに当接する。これにより、レバーハンドルから利用者による操作力を受け付けた場合、ハンドル部７０のラッチ下げレバー７５ａがＲ４方向に回動することができないため、図２に示すように、錠前装置１００が施錠状態となる。
【００９９】
このように、ソレノイド９０が非通電にされることによる電気的施錠においては、予め定められた所定の時間が経過すると、利用者が改めて別の操作を行なわなくても、錠前装置１００により出入口扉は解錠可能状態から施錠状態に戻ることになる。すなわち、施錠状態において解錠可能状態にする操作を行うだけで、解錠可能状態になってから施錠状態に戻ることになる。
【０１００】
次に、図２に示す施錠状態の錠前装置１００において、室内側からハンドル部７０を操作することにより出入口扉が開放状態にされる場合の動作について、図２および図１６を参照して説明する。図１６は、本実施形態にかかる施錠状態の錠前装置１００において室内側からハンドル部７０が操作された解錠状態を示す図である。
【０１０１】
図２に示す施錠状態の錠前装置１００において、ラッチ下げレバー７５ｂとハブロッキング６０は当接することがないため、室内側から利用者によりレバーハンドルをＲ４方向に回動する操作力を受付けると、受付けた操作力によりラッチ下げレバー７５ｂがＲ４方向に回動する。このとき、ラッチ下げレバー７５ｂの端部７２ｂは、デッドロッキングラッチボルト１０の突部１６をＢ方向に押圧し、端部７３ｂは、部材７８をバネ７９の付勢力に対抗してＦ方向に押圧する。つまり、受付けた操作力を端部７２ｂからデッドロッキングラッチボルト１０の突部１６に伝達することで、デッドロッキングラッチボルト１０をＢ方向に移動させるとともに、受付けた操作力を端部７３ｂから部材７８に伝達することで、部材７８をＦ方向に移動させ、図１６に示すように、錠前装置１００が解錠状態となる。そして、利用者がレバーハンドルから手を離すと、バネ７９の付勢力により端部７３ｂがＦ方向と逆方向に押圧されることで、ハンドル部７０のラッチ下げレバー７５ｂはＲ４方向と逆方向に回動し、図２の位置まで戻ることになる。
【０１０２】
ここでは、施錠状態の錠前装置１００を室内側から解錠状態にした例を示しているが、警備解除状態の錠前装置１００にも適用できる。さらに、ラッチ下げレバー７５ｂとソレノイドスライダー１３０も当接することがないため、警備モードが警備解除状態に設定されていても、警備状態に設定されていても適用することができる。
【０１０３】
このように、室内側に設けられたラッチ下げレバー７５ｂは、ハブロッキング６０と当接することがないため、室内側からは、施錠状態であっても解錠可能状態であっても常に出入口扉を解錠状態にすることができる。すなわち、施錠状態でも解錠可能状態でも、室内側のレバーハンドルを操作するだけで、解錠状態にすることができる。
【０１０４】
次に、監視領域の警備モードが警備状態に設定されている際に、例えば停電時等により、警備装置５００に汎用の電源から電力が供給されなくなった場合について説明する。通常、警備モードが警備状態に設定されている場合、警備ソレノイド１１０が通電されることにより施解錠部ロック機構５のソレノイドスライダー１３０がＧ方向に移動する。そして、この移動したソレノイドスライダー１３０により、ロッキング連結カム５０のＲ２方向の回動を不能にすることで、動作無効状態となっている。
【０１０５】
しかし、警備装置５００に汎用の電源から電力が供給されなくなった場合、警備モードが警備状態に設定されていても、電力が供給されないことにより警備ソレノイド１１０が非通電にされる。そして、警備ソレノイド１１０が非通電にされることにより施解錠部ロック機構５のソレノイドスライダー１３０がバネの付勢力によりＧ方向と逆方向に移動すると、ロッキング連結カム５０のＲ２方向の回動が可能となり、動作可能状態となる。
【０１０６】
このとき、機械的施解錠部３は、利用者によりサムターンハブ３０が回動操作されることで、スライダー４０が移動してロッキング連結カム５０を押圧して出入口扉を解錠可能状態にすることができる。一方、電気的施解錠部４は、警備装置５００からは電力が供給されないが、外部給電装置７００により供給された電力によって、ソレノイド９０を通電する。そして、該通電によりソレノイド９０の鉄心９２を移動させることで、ロッキングレバー８０が回動してロッキング連結カム５０を押圧して出入口扉を解錠可能状態にすることができる。
【０１０７】
次に、機械的施解錠部３により出入口扉を解錠可能状態にされている場合に、監視領域の警備モードを警備解除状態から警備状態に設定した場合について説明する。機械的施解錠部３により出入口扉を解錠可能状態にされている場合は、スライダー４０がＡ方向に移動している。この状態で、警備モードが警備状態に設定されると、警備ソレノイド１１０が通電され、施解錠部ロック機構５のソレノイドスライダー１３０がＧ方向に移動するが、Ａ方向に移動しているスライダー４０の下端部４５に当たるため、図１０のように、ソレノイドスライダー１３０は錠前機構２の枠部まで移動することができない。
【０１０８】
このような場合でも、その後、利用者によりサムターンハブ３０をＲ１方向と逆方向に回動操作されると、サムターンハブ３０の突起部３１によりスライダー４０はＡ方向と逆方向に移動される。この時、ソレノイドスライダー１３０は、警備ソレノイド１１０が通電されているため、スライダー４０がＡ方向と逆方向に移動されるとＧ方向に移動する。そして、ソレノイドスライダー１３０は、図１０のように、錠前機構２の枠部まで移動することができ、スライダー４０の下方に位置することになる。
【０１０９】
さらにその後、利用者によりサムターンハブ３０をＲ１方向に回動操作されても、ソレノイドスライダー１３０がスライダー４０の下方に位置するため、スライダー４０はＡ方向に移動することができなくなる。つまり、警備モードを警備解除状態から警備状態に設定した際に、錠前装置１００が機械的施解錠部３により出入口扉を解錠可能状態にされていても、一旦機械的施解錠部３により出入口扉を施錠状態にされれば、警備モードを警備解除状態に設定しない限り、再度解錠可能状態にすることはできなくなる。
【０１１０】
また、上述のように、機械的施解錠部３により出入口扉を解錠可能状態にされている場合に、監視領域の警備モードを警備解除状態から警備状態に設定した場合、錠前装置１００が解錠可能状態であることを利用者が認識できず、そのまま外出してしまうことが考えられる。従って、警備モード操作部５１０に種々の情報を表示するＬＣＤ等の表示部を備え、その旨を表示してもよい。すなわち、制御部５０１は、警備モード操作部５１０により警備モードを警備解除状態から警備状態の設定を受付けた際に、サムターンハブ３０に設けたセンサ（不図示）によって、サムターンハブ３０がＲ１方向に回動した状態である旨が検知された場合、錠前装置１００が解錠可能状態である旨を、警備モード操作部５１０に設けた表示部に表示する構成としてもよい。また、制御部５０１は、警備状態の設定を受けてなくとも、サムターンハブ３０により設けたセンサ（不図示）によって、サムターンハブ３０がＲ１方向に回動した状態である旨が検知された場合、錠前装置１００が解錠可能状態である旨を、警備モード操作部５１０に設けた表示部に表示するように構成してもよい。このように構成することで、利用者は、錠前装置１００が解錠可能状態であることを認識することができ、外出時に出入口扉を施錠状態にすることを失念せずにすむ。
【０１１１】
また、操作部６００に種々の情報を表示するＬＣＤ等の表示部を備え、その旨を表示してもよい。すなわち、制御部６０１は、警備モード操作部５１０により警備モードを警備解除状態から警備状態の設定を受付けた際に、サムターンハブ３０に設けたセンサ（不図示）によって、サムターンハブ３０がＲ１方向に回動した状態である旨が検知された場合、錠前装置１００が解錠可能状態である旨を、操作部６００に設けた表示部に表示する構成としてもよい。また、上記と同様、警備状態の設定を受けてなくとも、サムターンハブ３０がＲ１方向に回動した状態である旨が検知された場合に、操作部６００に錠前装置１００が解錠可能状態である旨を表示するように構成してもよい。
【０１１２】
また、本実施の形態では、警備モードを警備状態に設定しなくとも、出入口扉を施錠状態にすることが可能となっているが、出入口扉を施錠状態にしなければ、警備モードを警備解除状態から警備状態に設定することができない構成としてもよい。
【０１１３】
このように、本実施形態の錠前装置１００は、鍵等を利用して施解錠を行う機械的施解錠部３と、通電による施解錠を行う電気的施解錠部４とを備え、さらに機械的施解錠部３と電気的施解錠部４の動作を制御する施解錠部ロック機構５を備えたものである。そして、レバーハンドルを回動させるという簡易な操作により室内側からは出入口扉を常時開放可能となっているため、正規の利用者に煩雑な操作を強要せず利便性の低下を回避できる。また、本実施形態の錠前装置１００は、常時出入口扉を開放することができるため、監視領域に異常が発生した場合などでも室内に利用者が閉じ込められることを防止することができる。さらに、本実施形態の錠前装置１００は、室内側に施解錠を行う操作機構を設ける必要がなく、簡易な構成とできるため、製造および設置費用を軽減できる。
【０１１４】
また、本実施形態の錠前装置１００は、警備モードを警備状態から警備解除状態に設定しなければ、機械的施解錠部３および電気的施解錠部４から出入口扉を解錠可能状態にすることができないため、警備状態に設定された監視領域に利用者が入ることによる誤報を防止することができる。また、本実施形態の錠前装置１００は、警備員等が事前に監視領域の出入口扉を解錠する鍵を受領しなくても、操作部６００に利用者ＩＤを入力することで出入口扉の施解錠を行うことができるため、出入口扉の鍵の保管場所の確保および管理の負担を軽減することができる。
【０１１５】
なお、本実施形態の錠前装置１００では、ラッチ下げレバー７５ａが移動可能か否かにより、出入口扉を施錠状態または解錠可能状態とする構成となっているが、これに限定されることはなく、ラッチ下げレバー７５ａがデッドロッキングラッチボルト１０に当接可能か否かにより、出入口扉を施錠状態または解錠可能状態とする構成にしてもよい。すなわち、ラッチ下げレバー７５ａがデッドロッキングラッチボルト１０に当接不能である場合には、ラッチ下げレバー７５ａを移動してもデッドロッキングラッチボルト１０を移動できず出入口扉は施錠状態となり、ラッチ下げレバー７５ａがデッドロッキングラッチボルト１０に当接可能である場合には、ラッチ下げレバー７５ａを移動するとデッドロッキングラッチボルト１０が移動できて出入口扉は解錠可能状態となる構成としてもよい。
【０１１６】
また、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。
【図面の簡単な説明】
【０１１７】
【図１】実施形態にかかる錠前装置１００の構成を示す説明図である。
【図２】本実施の形態にかかる錠前機構２の詳細を示す説明図である。
【図３−１】スライダー４０の正面図である。
【図３−２】図３−１におけるスライダー４０をＶ１側から見た側面図である。
【図４−１】ロッキングレバー８０の正面図である。
【図４−２】図４−１におけるロッキングレバー８０をＶ２側から見た上面図である。
【図４−３】図４−１におけるロッキングレバー８０をＶ３側から見た下面図である。
【図４−４】図４−１におけるロッキングレバー８０をＶ４側から見た側面図である。
【図５−１】ロッキング連結カム５０の正面図である。
【図５−２】図５−１におけるロッキング連結カム５０をＶ５側から見た側面図である。
【図６−１】ハブロッキング６０の正面図である。
【図６−２】図６−１におけるハブロッキング６０をＶ６側から見た上面図である。
【図６−３】図６−１におけるハブロッキング６０をＶ７側から見た側面図である。
【図７−１】室外側のラッチ下げレバー７５ａの正面図である。
【図７−２】図７−１におけるラッチ下げレバー７５ａをＶ８側から見た側面図である。
【図８−１】ソレノイドカム１２０の正面図である。
【図８−２】図８−１におけるソレノイドカム１２０をＶ９側から見た側面図である。
【図９−１】ソレノイドスライダー１３０の正面図である。
【図９−２】図９−１におけるソレノイドスライダー１３０をＶ１０側から見た下面図である。
【図１０】本実施形態にかかる施錠状態の錠前装置１００において警備モードが警備状態に設定された場合を示す図である。
【図１１】本実施形態にかかる解錠可能状態の錠前装置１００を示す図である。
【図１２】本実施形態にかかる解錠可能状態の錠前装置１００において室外側からハンドル部７０が操作された解錠状態を示す図である。
【図１３】本実施形態にかかる出入口扉が開放されて空締まり状態の錠前装置１００を示す図である。
【図１４】本実施形態にかかる解錠可能状態の錠前装置１００を示す図である。
【図１５】本実施形態にかかる解錠可能状態の錠前装置１００において室外側からハンドル部７０が操作された解錠状態を示す図である。
【図１６】本実施形態にかかる施錠状態の錠前装置１００において室内側からハンドル部７０が操作された解錠状態を示す図である。
【符号の説明】
【０１１８】
１    フロント
２    錠前機構
３    機械的施解錠部
４    電気的施解錠部
５    施解錠部ロック機構
１０    デッドロッキングラッチボルト
１１    軸部
１２    先端部
１３    ストッパー
１４    鉄心
１５    バネ
１６    突部
２０    ラッチホールド
２１    支点
２２    突起
２３    係止部
２５    ラッチヘッド
２６    コ字状部材
２７    端部
３０    サムターンハブ
３１    突起部
４０    スライダー
４２    切欠き部
４２ａ    傾斜部
４２ｂ    傾斜部
４３    孔部
４４    凹部
４５    下端部
５０    ロッキング連結カム
５１    支点
６０    ハブロッキング
６１    支点
７０    ハンドル部
７１ａ    レバーハンドル孔
７１ｂ    レバーハンドル孔
７２ａ    端部
７２ｂ    端部
７３ａ    端部
７３ｂ    端部
７４ａ    突起部
７４ｂ    突起部
７５ａ    ラッチ下げレバー
７５ｂ    ラッチ下げレバー
７８    部材
７９    バネ
８０    ロッキングレバー
８２    支点
８３    連結部
８４    端部
８６    湾曲部
９０    ソレノイド
９１    ソレノイド本体
９２    鉄心
１００    錠前装置
１１０    警備ソレノイド
１１１    ソレノイド本体
１１２    鉄心
１２０    ソレノイドカム
１２１    支点
１２２    端部
１２３    連結部
１３０    ソレノイドスライダー
１３１    凹部
１３２    凹部
１３３    端部
５００    警備装置
５０１    制御部
５１０    警備モード操作部
６００    操作部
６０１    制御部
７００    外部給電装置
【図１】
2010084337.tif 000003
【図２】
2010084337.tif 000004
【図３−１】
2010084337.tif 000005
【図３−２】
2010084337.tif 000006
【図４−１】
2010084337.tif 000007
【図４−２】
2010084337.tif 000008
【図４−３】
2010084337.tif 000009
【図４−４】
2010084337.tif 000010
【図５−１】
2010084337.tif 000011
【図５−２】
2010084337.tif 000012
【図６−１】
2010084337.tif 000013
【図６−２】
2010084337.tif 000014
【図６−３】
2010084337.tif 000015
【図７−１】
2010084337.tif 000016
【図７−２】
2010084337.tif 000017
【図８−１】
2010084337.tif 000018
【図８−２】
2010084337.tif 000019
【図９−１】
2010084337.tif 000020
【図９−２】
2010084337.tif 000021
【図１０】
2010084337.tif 000022
【図１１】
2010084337.tif 000023
【図１２】
2010084337.tif 000024
【図１３】
2010084337.tif 000025
【図１４】
2010084337.tif 000026
【図１５】
2010084337.tif 000027
【図１６】
2010084337.tif 000028